(57)【特許請求の範囲】
【請求項１】
火災受信機より複数の感知器回線を導出させ、それぞれの感知器回線に、火災感知器などの複数の防災感知器を接続して構成され、上記火災受信機は、上記感知器回線を介したポーリングによって、上記防災感知器を監視する自動火災報知システムにおいて、
上記火災受信機は、いずれかの感知器回線に接続されている全ての防災感知器の異常を検出したときには、その感知器回線をトラブル表示する構成の自動火災報知システム。
【請求項２】
請求項１において、
上記火災受信機は、いずれかの感知器回線に接続されている全ての防災感知器の異常を検出して、その感知器回線をトラブル表示している際に、その感知器回線に接続されているいずれかの防災感知器の異常が復旧すると、その感知器回線のトラブル表示を終了する構成の自動火災報知システム。
【請求項３】
請求項２において、
上記火災受信機は、上記感知器回線のトラブル表示を終了した後には、異常が復旧していない、残りの防災感知器をトラブル表示する構成の自動火災報知システム。
【請求項４】
請求項２において、
上記火災受信機は、上記感知器回線のトラブル表示を終了した後には、上記感知器回線がトラブル復旧中であることを表示するとともに、上記感知器回線の異常が復旧した防災感知器を表示し、上記感知器回線に接続されているすべての防災感知器の異常が復旧すると、これらの表示を消去する構成の自動火災報知システム。
【請求項５】
請求項４において、
上記火災受信機は、上記感知器回線がトラブル復旧中であることを示す表示と、上記感知器回線の異常が復旧した防災感知器を示す表示とを、互いに色分けすることを特徴とする自動火災報知システム。
【発明の詳細な説明】
【０００１】
【発明の属する技術分野】
本発明は、火災受信機より複数の感知器回線を導出させ、それぞれの感知器回線に、火災感知器などの複数の防災感知器を接続して構成され、火災受信機が、感知器回線を介したポーリングによって、防災感知器を監視する自動火災報知システムの改良に関する。
【０００２】
【従来の技術】
従来から、ビルやマンション等には自動火災報知システムが導入され、集中監視室や管理人室などに火災受信機を設置して、各部屋や住戸などの煙濃度や周囲温度などのデータを基に、火災の発生を監視している。
このような自動火災報知システムは、例えば、図７に示すようなシステムがあり、このものは、火災受信機１００より複数の感知器回線Ｌを導出させ、それぞれの感知器回線Ｌに、火災感知器などの複数の防災感知器Ｓを接続して構成されており、火災受信機１００は、ＣＰＵなどで構成され、火災受信機１００内の各部を制御する信号処理部１１０と、各種操作スイッチを備える操作部１２０と、液晶画面などで構成される表示部１３０と、アドレス記憶部１４０と、感知器回線Ｌを介して、防災感知器Ｓとの間でポーリングをし、防災感知器Ｓを監視する伝送制御部１５０と、スピーカＳＰからの音響出力を制御する音響出力部１６０とを備えている。
【０００３】
火災受信機１００は、防災感知器Ｓの１つである火災感知器が発報したときは、火災警報を出力して、その防災感知器Ｓを表示部１３０に表示するとともに、スピーカＳＰより警報音を出力し、更に、予め、火災感知器に対応して設定された地区音響装置（ベルなど）によって、火災の発生を報知し、ビル内に居る人が迅速に避難できるようにしている。また、同時に、発報した火災感知器に近隣する防排煙機器（防火扉や排煙口など）の連動制御を行って、延焼や煙の回り込みを防いでいる。
【０００４】
更に、火災受信機１００は、防災感知器Ｓとして、火災感知器以外にガス漏れ警報器や諸警報機器などを接続しており、ガス漏れなどの異常を検知したときには、警報を出力するようになっている。
火災受信機１００では、このような防災感知器Ｓの作動状況を、各異常種別毎に画面表示するようになっており、例えば、防災感知器Ｓの感知器回線Ｌとの電気的な接続が遮断されることなどにより、防災感知器Ｓの異常が発生して、ポーリングに対する返信が所定時間内になければ、伝送制御部１５０はこれを検出し、表示部１３０に、例えば図８に示すようなトラブル表示を行う。
【０００５】
このようなトラブル表示は、操作部１２０のキー１２０ｄを操作したときになされ、異常種別（ア）が表示され、更に、感知器回線Ｌ、感知器Ｓのアドレス、電気的な接続が遮断された旨が、（エ）として表示される。
なお、図８において、１２０ａ〜１２０ｄの各々は、各々の画面（火災画面、ガス画面、警報画面、トラブル画面）に切り替えるために操作するキーを示している。また、（ウ）は、各種別毎の異常発生件数を示している。
【０００６】
【発明が解決しようとする課題】
ところで、上記した従来の自動火災報知システムでは、特に、システムの施工初期段階（現場調整初期段階）においては、感知器回線に未接続の感知器の数が多いため、防災感知器の接続作業を感知器回線毎に進めていく上で、火災受信機には、まだ接続作業の終えていない感知器回線の防災感知器のトラブル表示が、作業中の感知器回線のものと混在してなされてしまい、その中から必要な防災感知器の表示を探すのに時間を要していた。
【０００７】
本発明は、このような事情に鑑みてなされたものであり、火災受信機において、
感知器接続作業を進めていく上で、不必要な感知器回線の防災感知器のトラブル表示をすることなく、作業効率を向上させることのできる自動火災報知システムを提供することを目的としている。
【０００８】
【課題を解決するための手段】
上記目的を達成するために、本発明の請求項１に記載の自動火災報知システムでは、火災受信機は、いずれかの感知器回線に接続されている全ての防災感知器の異常を検出したときには、その感知器回線をトラブル表示する。
請求項２に記載の自動火災報知システムでは、火災受信機は、いずれかの感知器回線に接続されている全ての防災感知器の異常を検出して、その感知器回線をトラブル表示している際に、その感知器回線に接続されているいずれかの防災感知器の異常が復旧すると、その感知器回線のトラブル表示を終了する。
【０００９】
請求項３に記載の自動火災報知システムでは、火災受信機は、感知器回線のトラブル表示を終了した後には、異常が復旧していない、残りの防災感知器をトラブル表示する。
請求項４に記載の自動火災報知システムでは、火災受信機は、感知器回線のトラブル表示を終了した後には、感知器回線がトラブル復旧中であることを表示するとともに、感知器回線の異常が復旧した防災感知器を表示し、感知器回線に接続されているすべての防災感知器の異常が復旧すると、これらの表示を消去する。  請求項５に記載の自動火災報知システムでは、火災受信機は、感知器回線がトラブル復旧中であることを示す表示と、感知器回線の異常が復旧した防災感知器を示す表示とを、互いに色分けする。
【００１０】
【発明の実施の形態】
以下に、本発明の実施の形態について、図面とともに説明する。
図１は、本発明の自動火災報知システムの要部構成の一例を示す図であり、図２は、火災受信機の外観の一例を示す斜視図である。
この自動火災報知システムは、火災受信機１より複数の感知器回線Ｌを導出させ、それぞれの感知器回線Ｌに、火災感知器などの複数の防災感知器Ｓを接続して構成されており、火災受信機１は、ＣＰＵなどで構成され、火災受信機１内の各部を制御する信号処理部１０と、各種操作スイッチを備える操作部１１と、液晶画面１２ａなどで構成される表示部１２と、アドレス記憶部１３と、感知器回線Ｌを介して、防災感知器Ｓとの間でポーリングをし、防災感知器Ｓを監視する伝送制御部１４と、スピーカＳＰからの音響出力を制御する音響出力部１５とを備える他、伝送回線異常検出部１６（機能は後述）を備えている。
【００１１】
アドレス記憶部１３は、例えば、図３に示すような構成をしており、感知器回線Ｌ毎に、その回線Ｌに接続される防災感知器Ｓの個数と、防災感知器Ｓのアドレス情報とが登録されている。
火災受信機１は、防災感知器Ｓの１つである火災感知器が発報したときは、火災警報を出力して、その防災感知器Ｓを表示部１２に表示するとともに、スピーカＳＰより警報音を出力し、更に、予め、火災感知器に対応して設定された地区音響装置（ベルなど）によって、火災の発生を報知し、ビル内に居る人が迅速に避難できるようにしている。また、同時に、発報した火災感知器に近隣する防排煙機器（防火扉や排煙口など）の連動制御を行って、延焼や煙の回り込みを防いでいる。
【００１２】
更に、火災受信機１は、防災感知器Ｓとして、火災感知器以外にガス漏れ警報器や諸警報機器などを接続しており、ガス漏れなどの異常を検知したときには、警報を出力するようになっている。
火災受信機１では、このような防災感知器Ｓの作動状況を、各異常種別毎に画面表示するようになっており、例えば、防災感知器Ｓの感知器回線Ｌとの電気的な接続が遮断されることなどにより、防災感知器Ｓの異常が発生して、ポーリングに対する返信が所定時間内になければ、伝送制御部１４はこれを検出して、液晶画面１２ａに、例えば図８に示すようなトラブル表示を行うが、感知器回線Ｌのすべての防災感知器Ｓの電気的な接続が遮断されると、伝送回線異常検出部１６は、これを受けて以下の動作を行う。
【００１３】
すなわち、伝送回線異常検出部１６は、常時、伝送制御部１４による防災感知器Ｓの接続遮断検出数をカウントしており、感知器回線Ｌのすべての防災感知器Ｓの電気的な接続が遮断されると、伝送制御部１４による検出数が、アドレス記憶部１３の感知器回線Ｌあたりの防災感知器登録数と一致するので、伝送回線異常検出部１６がこれを検出し、表示画面１２ａに、例えば図４に示すようなトラブル表示を行う。
【００１４】
このようなトラブル表示は、操作部１１のキー１１ｄを操作したときになされ、異常種別（ア）が表示され、更に、感知器回線Ｌのすべての感知器Ｓの接続が遮断された旨が、（イ）として表示される。
なお、図４において、１１ａ〜１１ｄの各々は、各々の画面（火災画面、ガス画面、警報画面、トラブル画面）に切り替えるために操作するキーを示している。また、（ウ）は、各種別毎の表示数を示している。
【００１５】
このようなトラブル表示をしている際に、その感知器回線Ｌのいずれかの防災感知器Ｓが電気的に接続されるなどにより、防災感知器Ｓの異常が復旧すると、ポーリングに対する応答が所定時間内になされるので、伝送制御部１４はこれを検出し、図４のトラブル表示を終了して、例えば、図５または図６に示すようなトラブル表示を行う。
【００１６】
図５では、その感知器回線Ｌと電気的に未接続な防災感知器Ｓを示す表示（エ）がなされ、図６では、その感知器回線Ｌがトラブル復旧中であることを示す表示（オ）と、感知器回線Ｌと電気的に接続されている防災感知器Ｓを示す表示（カ）がなされている。ここで、図６においては、見やすさ向上の目的により、正常系である「感知器接続」は例えば赤色で表示する一方、異常系である「伝送路異常  修正中」は例えば緑色で表示するように、互いに色分けするようにしてもよい。ここでは、この色分けを識別しやすくするために、互いの書体を異ならせている。
【００１７】
【発明の効果】
以上の説明からも理解できるように、本発明の請求項１に記載の自動火災報知システムでは、火災受信機は、いずれかの感知器回線に接続されている全ての防災感知器の異常を検出したときには、その感知器回線をトラブル表示するので、例えば、システムの施工初期段階（現場調整初期段階）において、防災感知器の接続作業を感知器回線毎に進めていく上で、まだ接続作業の終えていない感知器回線の防災感知器のトラブル表示が、作業中の感知器回線のものと混在してなされてしまうことがなくなり、作業効率が大幅に向上する。
【００１８】
請求項２に記載の自動火災報知システムでは、火災受信機は、いずれかの感知器回線に接続されている全ての防災感知器の異常を検出して、その感知器回線をトラブル表示している際に、その感知器回線に接続されているいずれかの防災感知器の異常が復旧すると、その感知器回線のトラブル表示を終了するので、その後、その感知器回線あたり、電気的に接続されていない防災感知器をトラブル表示すれば、防災感知器の接続作業を感知器回線毎に進めていく上で、非常に有益である。
【００１９】
請求項３に記載の自動火災報知システムでは、火災受信機は、感知器回線のトラブル表示を終了した後には、異常が復旧していない、残りの防災感知器をトラブル表示するので、防災感知器の接続作業を感知器回線毎に進めていく上で、異常復旧していない防災感知器を容易に確認でき、有益である。
請求項４に記載の自動火災報知システムでは、火災受信機は、感知器回線のトラブル表示を終了した後には、感知器回線がトラブル復旧中であることを表示するとともに、異常の復旧した防災感知器を表示し、感知器回線に接続されているすべての防災感知器の異常が復旧すると、これらの表示を消去するので、防災感知器の接続作業を進める上で、その作業効率が非常に向上する。
【００２０】
請求項５に記載の自動火災報知システムでは、火災受信機は、感知器回線がトラブル復旧中であることを示す表示と、異常の復旧した防災感知器を示す表示とを、互いに色分けするので、正常系と異常系とを識別しやすくなる。
【図面の簡単な説明】
【図１】本発明の自動火災報知システムの要部構成の一例を示す図である。
【図２】火災受信機の外観の一例を示す斜視図である。
【図３】アドレス記憶部の構成の一例を示す図である。
【図４】火災受信機のトラブル表示画面の一例を示す図である（感知器回線に接続されているすべての防災感知器で異常が発生したとき）。
【図５】火災受信機のトラブル表示画面の一例を示す図である（感知器回線に接続されているいずれかの防災感知器の異常が復旧したとき）。
【図６】火災受信機のトラブル表示画面の他例を示す図である（感知器回線に接続されているいずれかの防災感知器の異常が復旧したとき）。
【図７】従来の自動火災報知システムの要部構成を示す図である。
【図８】従来の自動火災報知システムにおける、火災受信機のトラブル表示画面を示す図である。
【符号の説明】
１・・・火災受信機
Ｌ・・・感知器回線
Ｓ・・・防災感知器
【図１】
0003649060.tif 000002
【図２】
0003649060.tif 000003
【図３】
0003649060.tif 000004
【図４】
0003649060.tif 000005
【図５】
0003649060.tif 000006
【図６】
0003649060.tif 000007
【図７】
0003649060.tif 000008
【図８】
0003649060.tif 000009